(57)【要約】      （修正有）【課題】フレームを鏡板周縁に長期にわたって安定に固定できるようにしたスタンドミラーを提供する。【解決手段】ミラー本体を脚によって所定の角度に起立させた姿勢に保持するようにしたスタンドミラーにおいて，ミラー本体は鏡板の周縁に断面コ字状のフレームを周縁に沿うように嵌め合わせて構成し、フレームの始端１３Ａにはフレームの終端部１３Ｂと重なり合うことのできる舌片１３Ｃを一体に形成し、舌片にはねじ穴１３Ｄを形成する。フレームの終端部にはねじの挿通穴１３Ｅを形成し、挿通穴を上記舌片のねじ穴に位置合わせされ、ねじ１４を螺挿して締付けることによってフレームの始端と終端とを相互に固定する。【選択図】図３
0003179708.tif 000002
【実用新案登録請求の範囲】
【請求項１】
ミラー本体を脚によって所定の角度に起立させた姿勢に保持するようにしたスタンドミラーにおいて，
上記ミラー本体（１０，１００）は鏡板（１１，１１０）の周縁に断面コ字状のフレーム（１３，１３０）を周縁に沿うように嵌め合わせて構成され、
上記フレーム（１３，１３０）の始端（１３Ａ，１３０Ａ）にはフレーム（１３，１３０）の終端部（１３Ｂ，１３０Ｂ）と重なり合うことのできる舌片（１３Ｃ，１３０Ｃ）が一体に形成され、該舌片（１３Ｃ，１３０Ｃ）にはねじ穴（１３Ｄ，１３０Ｄ）が形成され、上記フレーム（１３，１３０）の終端部（１３Ｂ、１３０Ｂ）にはねじの挿通穴（１３Ｅ，１３０Ｅ）が形成され、該挿通穴（１３Ｅ，１３０Ｅ）が上記舌片（１３Ｃ，１３０Ｃ）のねじ穴（１３Ｄ，１３０Ｄ）に位置合わせされ、ねじ（１４）が螺挿されて締付けられることによって上記フレーム（１３，１３０）の始端と終端とが相互に固定されていることを特徴とするスタンドミラー。
【請求項２】
上記鏡板（１１）の背後には同形状の背板（１２）が重ね合わされ、上記鏡板（１１）と背板（１３）との周縁に断面コ字状のフレーム（１３）が周縁に沿うように嵌め合わされている請求項１記載のスタンドミラー。
【請求項３】
上記鏡板（１１）と背板（１２）とは下辺が直線状となっており、上記フレーム（１３）の始端と終端とが上記直線状下辺のいずれか一方の端部で相互に固定されている請求項２記載のスタンドミラー。
【考案の詳細な説明】
【技術分野】
【０００１】
この考案はスタンドミラーに関し、特にフレームを鏡板周縁に長期にわたって安定に固定できるようにしたミラーに関する。
【背景技術】
【０００２】
スタンドミラーはミラー本体と脚部とから構成され、例えば卓上において脚部によってミラー本体を所望の角度に起立させた姿勢に保持するようになっている。このスタンドミラーでは鏡板の周縁をそのまま露出させると、ユーザが鏡板の周縁によって手指を傷つけるおそれがあることから、フレームで覆って鏡板の周縁によってユーザの手指が傷つくのを防止するようにしている。
【０００３】
従来のスタンドミラーでは断面Ｌ字状の環状フレームに鏡板を前面から嵌め込み、その上から環状ストッパーを嵌め込んで接着し、鏡板をフレームから抜け止めするようにした構造が採用されていた（特許文献１）。しかし、環状ストッパーの嵌め込みと接着という工程を必要とし、製造工程が複雑になるとともに、コスト高になる。
【０００４】
そこで、直線状に展開した断面コ字状のフレームを鏡板の周縁に沿うように嵌め合わせ、フレームの終端と始端とを接着剤によって鏡板に接着するようにした構造が実用化されている。
【先行技術文献】
【特許文献】
【０００５】
【特許文献１】実開平０４−９１７２号公報
【考案の開示】
【考案が解決しようとする課題】
【０００６】
しかし、断面コ字状フレームを嵌合させて接着する構造では接着剤が経時劣化すると、フレームの始端と終端が少しの衝撃で鏡板から簡単に外れてしまう。
【０００７】
本考案はかかる問題点に鑑み、製造工程の複雑化を招来することなく、鏡板周縁のフレームを長期にわたって安定に固定できるようにしたスタンドミラーを提供することを課題とする。
【課題を解決するための手段】
【０００８】
そこで、本考案に係るスタンドミラーは、ミラー本体を脚によって所定の角度に起立させた姿勢に保持するようにしたスタンドミラーにおいて，上記ミラー本体は鏡板の周縁に断面コ字状のフレームを周縁に沿うように嵌め合わせて構成され、上記フレームの始端にはフレームの終端部と重なり合うことのできる舌片が一体に形成され、該舌片にはねじ穴が形成され、上記フレームの終端部にはねじの挿通穴が形成され、該挿通穴が上記舌片のねじ穴に位置合わせされ、ねじが螺挿されて締付けられることによって上記フレームの始端と終端とが相互に固定されていることを特徴とする。
【０００９】
本考案の特徴の１つは、フレームの始端に舌片を一体に形成し、舌片とフレーム終端部とを重ね合わせ、ねじで締付け固定するようにした点にある。
【００１０】
これにより、接着剤のような経時劣化がほとんどなく、ねじが弛まない限りフレームが鏡板から外れることはなく、フレームを長期にわたって安定に固定することができる。
【００１１】
また、フレームの製造時にフレームの始端に舌片を一体的に形成し、舌片にねじ穴を形成し、フレーム終端部にねじの挿通穴を形成しておき、フレーム組立て時にねじを螺挿して締付ければよいので、製造工程が複雑にならず、コスト高を招来することもない。
【００１２】
鏡板の周縁にフレームを嵌め合わせてもよいが、スタンドミラーの厚みを確保するために、鏡板の背後には同形状の背板を重ね合わせ、鏡板と背板との周縁には断面コ字状のフレームを周縁に沿うように嵌め合わせることもできる。
【００１３】
鏡板及び背板の形状は特に限定されず、円形や多角形、動物などの任意の形状でもよいが、フレームの始端の舌片と終端部を重ね合わせて相互にねじで連結する関係で、鏡板と背板とは下辺を直線状に形成し、フレームの始端と終端とを直線状下辺のいずれか一方の端部で相互に固定されるのが好ましい。
【００１４】
フレームや背板の材料は特に限定されず、合成樹脂材料や金属材料を採用することができる。
【図面の簡単な説明】
【００１５】
【図１】本考案に係るスタンドミラーの好ましい実施形態を示す概略斜視図である。
【図２】上記実施形態における鏡板及び背板に対するフレームの嵌合構造を示す断面図である。
【図３】図１のＡ部を下方から見たときの分解斜視図である。
【図４】第２の実施形態を示す正面図である。
【図５】上記実施形態を背面から見た状態（ａ）及びその要部を（ｂ）示す斜視図である。
【考案を実施するための形態】
【００１６】
以下、本考案を図面に示す具体例に基づいて詳細に説明する。図１ないし図３は本考案に係るスタンドミラーの好ましい実施形態を示す。図において、スタンドミラーはミラー本体１０と脚２０とから構成され、ミラー本体１０は縦長四角形状の鏡板１１と同形状の背板１２を重ね合わせ、鏡板１１と背板１２の周縁にフレーム１３を嵌め合わせて構成されている。
【００１７】
フレーム１３は金属薄板を用いて断面コ字状に加工されるとともに、鏡板１１の４隅に対応する箇所に切れ目が入れられ、又フレーム１３の始端１３Ａには舌片１３Ｃが始端部に対して直交するように、つまりフレーム終端部１３Ｂと重なり合えるように一体的に形成されている。
【００１８】
このフレーム１３の始端１３Ａの舌片１３Ｃにはねじ穴１３Ｄが形成され、ねじ穴１３Ｄ内面には雌ねじが形成されている。他方、フレーム１３の終端部にはねじ挿通穴１３Ｅが形成されており、舌片１３Ａとフレーム終端部１３Ｂとを重ね合わせてねじの挿通穴１３Ｅとねじ穴１３Ｄとを位置合わせし、ねじ１４を螺挿して締付けることによってフレーム１３の終端と始端が相互に連結固定されている。
【００１９】
また、脚２０は金属板を用いて凵字状に形成され、脚２０の両端はフレーム１３の両側辺に取付けピン２１によって回転可能に取付けられており、脚２０をミラー本体１０に対して所望の角度に開くことによってミラー本体１０を傾斜した起立姿勢に保持されるようになっている。
【００２０】
以上のように、フレーム１３の始端１３Ａに舌片１３Ｃを一体に形成し、舌片１３Ｃとフレーム終端部１３Ｂとを重ね合わせ、ねじ１４で締付け固定するようにしたので、接着剤のような経時劣化がほとんどなく、ねじ１４が弛まない限りフレーム１３が鏡板１１及び背板１２から外れることはなく、フレーム１３を長期にわたって安定に固定することができる。
【００２１】
また、フレーム１３の製造時にフレーム１３の始端１３Ａに舌片１３Ｃを一体的に形成し、舌片１３Ｃにねじ穴１３Ｄを形成し、フレーム終端部１３Ｂにねじの挿通穴１３Ｅを形成し、フレーム組立て時にねじ１４を挿通穴１３Ｅを通してねじ穴１３Ｄに螺挿して締付ければよいので、製造工程が複雑にならず、コスト高を招来することもない。
【００２２】
図４及び図５は第２の実施形態を示す。図において、スタンドミラーはミラー本体１００と脚２００とから構成され、ミラー本体１００は八角形状の鏡板１１０と同形状の背板１２０を重ね合わせ、鏡板１１０と背板１２０の周縁にフレーム１３０を嵌め合わせて構成されている。
【００２３】
フレーム１３０は金属薄板を用いて断面コ字状に加工されるとともに、鏡板１１０の８つの各隅に対応する箇所に切れ目が入れられ、又フレーム１３０の始端１３０Ａには舌片１３０Ｃが始端部に対して所定の角度をなすように、つまりフレーム終端部１３０Ｂと重なり合えるように一体的に形成されている。
【００２４】
このフレーム１３０の始端１３０Ａの舌片１３０Ｃにはねじ穴１３０Ｄが形成され、ねじ穴１３０Ｄ内面には雌ねじが形成されている。他方、フレーム１３０の終端部にはねじ挿通穴１３０Ｅが形成されており、舌片１３０Ａとフレーム終端部１３０Ｂとを重ね合わせてねじの挿通穴１３０Ｅとねじ穴１３０Ｄとを位置合わせし、ねじ１４を螺挿して締付けることによってフレーム１３０の終端と始端が相互に連結固定されている。
【００２５】
また、脚２００は合成樹脂材料を用いて帯状に形成されている一方、背板１２０の背面には取付けブラケット２２０が背板１２０の正面側からリベット２１０を挿通させて締付けることによって固定され、取付けブラケット２１０の左右の盛上がり部の間には脚２００の上端部が嵌め込まれて取付けピンによって回転自在に取付けられ、又取付けブラケット２１０の盛上がり部の内端部にはストッパー２１０Ａが形成されて脚２００の回転が規制されており、脚２００をミラー本体１００に対して所望の角度に開くことによってミラー本体１００を傾斜した起立姿勢に保持されるようになっている。
【００２６】
なお、上記の例では相互に重ねた鏡板と背板の周縁にフレームを嵌め込むようにしたが、背板は必ずしも設けられもよい。
【符号の説明】
【００２７】
１０      ミラー本体
１１      鏡板
１２      背板
１３      フレーム
１３Ａ    始端
１３Ｂ    終端部
１３Ｃ    舌辺
１３Ｄ    ねじ穴
１３Ｅ    挿通穴
１４      ねじ
２０      脚
１００    ミラー本体
１１０    鏡板
１２０    背板
１３０    フレーム
１３０Ａ    始端
１３０Ｂ    終端部
１３０Ｃ    舌辺
１３０Ｄ    ねじ穴
１３０Ｅ    挿通穴
２００    脚
【図１】
0003179708.tif 000003
【図２】
0003179708.tif 000004
【図３】
0003179708.tif 000005
【図４】
0003179708.tif 000006
【図５】
0003179708.tif 000007